(57)【特許請求の範囲】
【請求項１】
前方に向けて針先が形成されると共にその針先の近傍部分の側面に組織収納凹部が形成された針軸と、上記針軸に軸線方向に進退自在に被嵌されて上記組織収納凹部に入り込んだ組織を切り取るための刃が先端に形成された外套管とを有する内視鏡用組織採取具において、
上記組織収納凹部が上記針軸を略Ｃ字状の断面形状に窪ませて形成され、上記組織収納凹部における上記針軸の断面形状が先側から後方へ次第に角度の大きな円弧状に形成されていることを特徴とする内視鏡用組織採取具。
【請求項２】
上記組織収納凹部における上記針軸の断面形状が、最も後方部分において少なくとも半円程度以上の円弧状である請求項１記載の内視鏡用組織採取具。
【発明の詳細な説明】
【０００１】
【発明の属する技術分野】
この発明は、内視鏡の処置具挿通チャンネルに挿脱されて肝生検等を行うのに用いられる内視鏡用組織採取具に関する。
【０００２】
【従来の技術】
図６は、従来の内視鏡用組織採取具として用いられているいわゆるメンギーニ組織採取針の先端部分を示しており、棒状の針軸１０の先端には尖った針先１１が形成されると共に、切り取った標本組織を収納するための組織収納凹部１２が、針先１１の近傍を側面から窪ませた形状に形成されている。図７は、組織収納凹部１２における針軸１０の、軸線に対して垂直な断面の断面図である。
【０００３】
針軸１０に軸線方向に進退自在に被嵌された外套管２０の先端には、組織収納凹部１２に入り込んだ組織を切り取るための環状の刃２１が内周側に形成されている。
【０００４】
図８と図９は、そのような従来の内視鏡用組織採取具を用いて生検組織を採取している状態を示しており、図８に示されるように、組織１００に突き刺した外套管２０を少し引き戻して組織収納凹部１２内に組織１００の目標部分を入れ込み、次いで図９に示されるように、外套管２０を瞬時に送り出して、組織収納凹部１２内に入り込んでいる組織１００から標本組織１０１を切り取るようになっている。
【０００５】
【発明が解決しようとする課題】
しかし、組織収納凹部１２部分が図７に示されるような断面形状の針軸１０は、その部分で上下方向に簡単に曲がってしまうので、針軸１０を外套管２０から突出した状態で組織１００に突き刺す際や、組織１００に突き刺された針軸１０を軸にして外套管２０を強く送り出す際に、図１０に示されるように、針軸１０が組織収納凹部１２部分で折れ曲がって使用できなくなってしまう場合がある。
【０００６】
そこで、例えば図１１に示されるように、組織収納凹部１２部分の針軸１０の肉厚を厚くすることが考えられるが、そのようにすると、曲げに対する強度は向上するが、組織収納凹部１２の容量が小さくなって十分な量の標本組織を採取することができない。
【０００７】
そこで本発明は、組織収納凹部部分において針軸が優れた曲げ強度を有し、しかも十分な量の標本組織を採取することができる内視鏡用組織採取具を提供することを目的とする。
【０００８】
【課題を解決するための手段】
上記の目的を達成するため、本発明の内視鏡用組織採取具は、前方に向けて針先が形成されると共にその針先の近傍部分の側面に組織収納凹部が形成された針軸と、上記針軸に軸線方向に進退自在に被嵌されて上記組織収納凹部に入り込んだ組織を切り取るための刃が先端に形成された外套管とを有する内視鏡用組織採取具において、組織収納凹部が、針軸を略Ｃ字状の断面形状に窪ませて形成されているものである。
【０００９】
その場合、組織収納凹部における針軸の断面形状が、少なくとも半円程度以上の円弧状であればよい。
また、組織収納凹部における針軸の断面形状が、先側から後方へ次第に角度の大きな円弧状に形成されていてもよく、その場合には、組織収納凹部における針軸の断面形状が、最も後方部分において少なくとも半円程度以上の円弧状であればよい。
【００１０】
【発明の実施の形態】
図面を参照して本発明の実施例等について説明する。
図１は、本発明の参考例の内視鏡用組織採取具の先端部分を示しており、（Ａ）は外套管２０の先端が所定の先端位置まで押し出された状態を示し、（Ｂ）は、外套管２０の先端が後方に引き戻された状態を示している。
【００１１】
断面形状が円形の針軸１０の先端には、前方に向けて尖った無孔の針先１１が形成されており、針先１１の直後の部分には、組織を収納するための組織収納凹部１２が、針軸１０を側面から窪ませた形状に形成されている。
【００１２】
針軸１０には、外套管２０が軸線方向に進退自在に略全長にわたって被嵌されている。外套管２０の先端部分は先細りのテーパ状に形成されており、その結果、外套管２０の内周先端部分が環状の刃２１になっている。
【００１３】
そして、外套管２０を手元側で進退操作することにより、図１の（Ａ）、（Ｂ）に示されるように、外套管２０の先端部分が組織収納凹部１２を完全に覆う状態と組織収納凹部１２より後方に退避した状態との間を移動し、組織収納凹部１２に入り込んだ組織を刃２１によって切り取ることができる。
【００１４】
組織収納凹部１２における針軸１０の、軸線に対して垂直な断面の断面形状は、II−II断面を図示する図２に示されるように、針軸１０の半部が完全に切り欠かれ、残りの半部には外周面に沿う一定の厚さの円弧状の壁が残されて、略Ｃ字状に形成されている。
【００１５】
言い換えると、組織収納凹部１２における針軸１０の、軸線に対して垂直な断面の断面形状は、針軸１０の元々の外周面を外面とする円弧状に形成されており、少なくとも半円程度以上の円弧状であればよい。
【００１６】
組織収納凹部１２において針軸１０をこのような断面形状に形成することにより、組織収納凹部１２の容積をさほど減少させることなく優れた曲げ強度を得ることができ、その結果、組織収納凹部１２が折り曲がることなく十分な量の標本組織を採取することができる。
【００１７】
図３は、本発明の実施例の内視鏡用組織採取具の全体構成を示しており、前述の参考例と同様にＣ字状の断面形状に形成された組織収納凹部１２が、IV−IV断面を図示する図４及びＶ−Ｖ断面を図示する図５にも示されるように、先側から後方へ次第に角度の大きな円弧状に形成されている。この場合、組織収納凹部１２の断面形状が、最も後方部分において少なくとも半円程度以上の円弧状であればよい。
【００１８】
針軸１０の針先１１に力が加わると、組織収納凹部１２には後方へいくほど大きな曲げ力が作用するので、組織収納凹部１２における針軸１０の断面形状をこのように先側から後方へ次第に角度の大きな円弧状に形成すればよく、組織収納凹部１２の容量を最大限に確保することができる。
【００１９】
なお、この実施例の内視鏡用組織採取具では、針軸１０の組織収納凹部１２より後方部分がパイプ状に形成されていて、その内孔部分が手元側から組織収納凹部１２に通じる吸引路１３になっている。したがって、標本組織を組織収納凹部１２内に吸い付けた状態にしてから外套管２０の刃２１で切断することができる。
【００２０】
針軸１０と外套管２０の手元側には、各々指掛け１４，２２が形成され、針軸１０の手元側端部には、吸引具５０を接続するための口金１６が吸引路１３に連通して形成されている。
【００２１】
また、針軸１０に対する外套管２０の押し込み量を目視するための目盛り１５が針軸１０の外周面に形成されており、針軸１０に対して外套管２０を任意の位置で固定するための手動固定ネジ２３が外套管２０側に取り付けられている。
【００２２】
【発明の効果】
本発明によれば、組織収納凹部が、針軸を略Ｃ字状の断面形状に窪ませて形成されていることにより、組織収納凹部において針軸が優れた曲げ強度を有するので、使用時に針軸が折れ曲がって使用できなくなってしまうようなケースが大幅に減少し、しかも十分な量の標本組織を組織収納凹部内に採取することができる。
【図面の簡単な説明】
【図１】  本発明の参考例の内視鏡用組織採取具の先端部分の側面断面図である。
【図２】図１におけるII−II断面図である。
【図３】  本発明の実施例の内視鏡用組織採取具の全体構成を示す側面断面図である。
【図４】図３におけるIV−IV断面図である。
【図５】図３におけるＶ−Ｖ断面図である。
【図６】従来の内視鏡用組織採取具の先端部分の側面断面図である。
【図７】図６におけるVII−VII断面図である。
【図８】従来の内視鏡用組織採取具の使用状態における先端部分の側面断面図である。
【図９】従来の内視鏡用組織採取具の使用状態における先端部分の側面断面図である。
【図１０】従来の内視鏡用組織採取具の針軸が組織収納凹部で曲がってしまった状態を示す側面断面図である。
【図１１】組織収納凹部における針軸の断面形状の改良例を示す断面図である。
【符号の説明】
１０  針軸
１１  針先
１２  組織収納凹部
２０  外套管
２１  刃
【図１】
0004554750.tif 000002
【図２】
0004554750.tif 000003
【図３】
0004554750.tif 000004
【図４】
0004554750.tif 000005
【図５】
0004554750.tif 000006
【図６】
0004554750.tif 000007
【図７】
0004554750.tif 000008
【図８】
0004554750.tif 000009
【図９】
0004554750.tif 000010
【図１０】
0004554750.tif 000011
【図１１】
0004554750.tif 000012